(57)【要約】【課題】返却口に返却投入された重要物が収納部に収納されたか否かを確認することができる重要物管理装置の提供。【解決手段】返却口３３に返却投入された重要物３８をシュート３５を介して収納部２２に収納するもので、重要物３８に識別情報を記憶した識別情報記憶手段４１を設けるとともに、収納部２２に収納された重要物３８の識別情報記憶手段４１から識別情報を読み取る取得手段４５と、取得手段４５によって読み取られた識別情報を出力する出力手段とを備える。【選択図】図２
2008231879.tif 000002
【特許請求の範囲】
【請求項１】
返却口に返却投入された重要物をシュートを介して収納部に収納する重要物管理装置において、
重要物に識別情報を記憶した識別情報記憶手段を設けるとともに、
前記収納部に収納された重要物の識別情報記憶手段から識別情報を読み取る取得手段と、
該取得手段によって読み取られた識別情報を出力する出力手段とを備えることを特徴とする重要物管理装置。
【請求項２】
前記収納部から取り出された重要物を識別情報の読み取りの有無によって特定する特定手段と、
該特定手段によって前記収納部からの取り出しが特定された重要物の識別情報と、前記収納部からの取り出し後に前記取得手段によって読み取られた重要物の識別情報とが一致するか否かを判断する判断手段とを備え、
前記出力手段は、前記判断手段の判断結果を出力することを特徴とする請求項１記載の重要物管理装置。
【請求項３】
前記特定手段によって特定された識別情報と、前記取得手段によって読み取られた識別情報とを記憶する取出・返却記憶手段と、
該取出・返却記憶手段に記憶された識別情報を用いて、前記収納部に収納された重要物の取出・返却のログ情報を作成するログ情報作成手段とを備え、
前記出力手段は、前記ログ情報作成手段によって作成されたログ情報を出力することを特徴とする請求項２記載の重要物管理装置。
【請求項４】
出力操作を受け付ける出力操作手段を備え、
該出力操作手段が出力操作を受け付けると、前記出力手段が、前記ログ情報作成手段によって作成されたログ情報を出力することを特徴とする請求項３記載の重要物管理装置。
【請求項５】
返却口に返却投入された重要物をシュートを介して収納部に収納する重要物管理装置において、
重要物に識別情報を記憶した識別情報記憶手段を設けるとともに、
前記返却口に投入された重要物の識別情報記憶手段から識別情報を読み取る第１の読取手段と、
前記収納部に収納された重要物の識別情報記憶手段から識別情報を読み取る第２の読取手段と、
前記第１の読取手段の読み取り結果と前記第２の読取手段の読み取り結果とに基づいて前記返却口に投入された重要物が前記収納部に収納されたか否かを判断する返却収納判断手段とを備えることを特徴とする重要物管理装置。
【請求項６】
前記返却収納判断手段の判断結果を出力する判断結果出力手段を備えることを特徴とする請求項５記載の重要物管理装置。
【発明の詳細な説明】
【技術分野】
【０００１】
本発明は、鍵や管理カード等の重要物を管理する重要物管理装置に関する。
【背景技術】
【０００２】
重要物である鍵を管理する鍵管理装置に関して、鍵を保持するキーホルダにバーコードを設けておき、このバーコードをバーコードリーダで読み取って管理する技術がある（例えば、特許文献１参照）。
【特許文献１】特開平１１−３２４４２７号公報
【発明の開示】
【発明が解決しようとする課題】
【０００３】
ところで、鍵管理装置には、返却口に返却投入された鍵をシュートを介して収納部に収納するものがあるが、このような装置においては、鍵が収納部に収納されたことを確認するようにはなっておらず、鍵がシュートの途中で引っ掛かって収納部に適正に収納されない状態が生じても、これを認識することができないという問題があった。
【０００４】
したがって、本発明は、返却口に返却投入された重要物が収納部に収納されたか否かを確認することができる重要物管理装置の提供を目的とする。
【課題を解決するための手段】
【０００５】
上記目的を達成するために、請求項１に係る発明は、返却口に返却投入された重要物をシュートを介して収納部に収納する重要物管理装置において、重要物に識別情報を記憶した識別情報記憶手段を設けるとともに、前記収納部に収納された重要物の識別情報記憶手段から識別情報を読み取る取得手段と、該取得手段によって読み取られた識別情報を出力する出力手段とを備えることを特徴としている。
【０００６】
請求項２に係る発明は、請求項１に係る発明において、前記収納部から取り出された重要物を識別情報の読み取りの有無によって特定する特定手段と、該特定手段によって前記収納部からの取り出しが特定された重要物の識別情報と、前記収納部からの取り出し後に前記取得手段によって読み取られた重要物の識別情報とが一致するか否かを判断する判断手段とを備え、前記出力手段は、前記判断手段の判断結果を出力することを特徴としている。
【０００７】
請求項３に係る発明は、請求項２に係る発明において、前記特定手段によって特定された識別情報と、前記取得手段によって読み取られた識別情報とを記憶する取出・返却記憶手段と、該取出・返却記憶手段に記憶された識別情報を用いて、前記収納部に収納された重要物の取出・返却のログ情報を作成するログ情報作成手段とを備え、前記出力手段は、前記ログ情報作成手段によって作成されたログ情報を出力することを特徴としている。
【０００８】
請求項４に係る発明は、請求項３に係る発明において、出力操作を受け付ける出力操作手段を備え、該出力操作手段が出力操作を受け付けると、前記出力手段が、前記ログ情報作成手段によって作成されたログ情報を出力することを特徴としている。
【０００９】
請求項５に係る発明は、返却口に返却投入された重要物をシュートを介して収納部に収納する重要物管理装置において、重要物に識別情報を記憶した識別情報記憶手段を設けるとともに、前記返却口に投入された重要物の識別情報記憶手段から識別情報を読み取る第１の読取手段と、前記収納部に収納された重要物の識別情報記憶手段から識別情報を読み取る第２の読取手段と、前記第１の読取手段の読み取り結果と前記第２の読取手段の読み取り結果とに基づいて前記返却口に投入された重要物が前記収納部に収納されたか否かを判断する返却収納判断手段とを備えることを特徴としている。
【００１０】
請求項６に係る発明は、請求項５に係る発明において、前記返却収納判断手段の判断結果を出力する判断結果出力手段を備えることを特徴としている。
【発明の効果】
【００１１】
請求項１に係る発明によれば、重要物が返却口に返却投入された後、シュートを介して収納部に収納されると、収納部に収納されたこの重要物の識別情報記憶手段から取得手段が識別情報を読み取ることになり、出力手段が、この取得手段によって読み取られた識別情報を出力する。他方、シュートの途中で重要物が引っ掛かる等すると、重要物の識別情報記憶手段から取得手段が識別情報を読み取ることができず、出力手段が、識別情報を出力することはない。よって、重要物の返却口への返却投入後に、出力手段が識別情報を出力するか否かで、返却口に返却投入された重要物が収納部に収納されたか否かを確認することができる。
【００１２】
請求項２に係る発明によれば、特定手段が、収納部から取り出された重要物を識別情報記憶手段に記憶された識別情報の読み取りの有無によって特定することになり、その後、判断手段が、特定手段によって収納部からの取り出しが特定された重要物の識別情報と、取得手段によって読み取られた重要物の識別情報とが一致するか否かを判断し、出力手段が、この判断結果を出力することになる。したがって、重要物の取り出しから返却収納までを管理することができる。
【００１３】
請求項３に係る発明によれば、取出・返却記憶手段が、特定手段によって特定された識別情報と、取得手段によって読み取られた識別情報とを記憶し、ログ情報作成手段が、この取出・返却記憶手段に記憶された識別情報を用いて、収納部に収納された重要物の取出・返却のログ情報を作成して、出力手段が、ログ情報作成手段によって作成されたログ情報を出力することになる。したがって、重要物の取り出しから返却収納までのログ情報を管理することができる。
【００１４】
請求項４に係る発明によれば、出力操作手段が出力操作を受け付けると、出力手段が、ログ情報作成手段によって作成されたログ情報を出力することになるため、任意のタイミングでログ情報を出力することができる。
【００１５】
請求項５に係る発明によれば、重要物が返却口に返却投入されると、まず、第１の読取手段が、重要物に設けられた識別情報記憶手段から識別情報を読み取ることになり、重要物が収納部に収納されると、続いて、第２の読取手段が、重要物に設けられた識別情報記憶手段から識別情報を読み取ることになる。他方、シュートの途中で重要物が引っ掛かってしまうと、重要物の識別情報記憶手段から第１の読取手段が識別情報を読み取るものの、第２の読取手段が識別情報を読み取ることができない。このようにして、返却口に返却投入された重要物が収納部に収納されたか否かを確認することができる。しかも、第１の読取手段が識別情報を読み取ることで重要物の返却口への投入を検出することができるため、装置側で、返却口に返却投入された重要物が収納部に収納されたか否かの確認を完結できる。
【００１６】
請求項６に係る発明によれば、判断結果出力手段が返却収納判断手段の判断結果を出力するため、通路途中に引っ掛かった重要物があることを返却者等に容易に認識させることができる。
【発明を実施するための最良の形態】
【００１７】
本発明の重要物管理装置に係る第１実施形態を図１〜図４を参照して以下に説明する。
【００１８】
図１に示す重要物管理装置１０は、銀行等の金融機関の店舗で使用されるもので、機体上面の後部に、複数の鍵１１を整列状態で着脱可能に保持する個別鍵収納部１２が設けられており、機体上面の前部に、担当者による暗証番号等の入力操作や文字の入力操作がなされる複数の操作キー１４ａからなる操作部（出力操作手段）１４と、日時、操作状況、アラーム情報およびガイダンス等を表示する液晶ディスプレイからなる表示部（出力手段）１５と、ＩＤカード１６を走査して、このＩＤカード１６からデータを読み取るカードリーダ１７と、必要な情報を紙面に印字して出力するするプリンタ部（出力手段）１８と、主電源のオン・オフ操作が入力される電源スイッチ１９とが設けられている。なお、ＩＤカード１６は、ＩＣチップを有する電子カードや磁気カード等からなるもので、重要物管理装置１０の使用が許可されたすべての担当者にそれぞれ個別に準備されて他との識別のための個別の担当者識別番号（言い換えればカード識別番号）等が記憶されている。また、複数の操作キー１４ａからなる操作部１４は、数字のほかに、アルファベット、ひらがなおよびカタカナのうちの少なくとも一種類の入力が可能となっている。必要により漢字変換を可能としても良い。
【００１９】
重要物管理装置１０には、機体前面側の上部片側に上段収納部２１が設けられており、その下側に、機体前面側の左右のほぼ全幅にわたって中段収納部（収納部）２２が設けられていて、その下側に、機体前面側の左右のほぼ全幅にわたって下段収納部２３が設けられている。
【００２０】
上段収納部２１は、ロータリ式のダイヤル鍵２５が設けられ、このダイヤル鍵２５のロック解除で開放可能となる扉２６を備えている。
【００２１】
中段収納部２２は、シリンダ鍵２８が設けられ、このシリンダ鍵２８に対して別体の図示略の鍵を用いたロック解除で引出可能となる引出部２９を備えている。
【００２２】
下段収納部２３は、シリンダ鍵３０が設けられ、このシリンダ鍵３０に対して別体の図示略の鍵を用いたロック解除で引出可能となる引出部３１を備えている。
【００２３】
上段収納部２１の横には機体前面を内外に貫通する返却口３３が設けられており、この返却口３３は、図２に示すように、本実施形態の要部である中段収納部２２の装填状態の引出部２９内の収納空間３４に筒状のシュート３５を介して連通している。つまり、中段収納部２２は、返却口３３に返却投入された鍵（重要物）３８をシュート３５を介して収納する。この中段収納部２２には、その引出部２９内に複数の異なる鍵３８が特に整列されることなく収納されることになり、鍵３８を取り出す担当者は、図１に示すシリンダ鍵２８のロックを別体の図示略の鍵で解除して引出部２９を引き出し、その収納空間３４から適宜の鍵３８を選択して取り出すことになる。また、担当者は、鍵３８の返却時には、中段収納部２２の引出部２９を特に引き出すことなく、返却口３３に鍵３８を投入することで、鍵３８はシュート３５内をスライドして引出部２９に返却収納される。
【００２４】
ここで、中段収納部２２には予め決められた複数の鍵３８が収納されるが、収納される鍵３８は、それぞれが、図３にも示すように、鍵本体３９とこれに連結されたキーホルダ４０とを有しており、キーホルダ４０には、これが設けられた鍵３８を他の鍵３８と識別するための個別の識別番号（識別情報）が記憶された無線通信可能なＲＦＩＤ(Radio Frequency IDentification）タグ（識別情報記憶手段）４１が埋設あるいは貼付されている。さらに、キーホルダ４０は、ＲＦＩＤタグ４１に記憶されたものと同じ個別の識別番号が視認可能に表記される鍵識別表記部４２を有している。
【００２５】
そして、引出部２９には、鍵３８のＲＦＩＤタグ４１がシュート３５内に存在するときにはＲＦＩＤタグ４１とは通信不可であって、鍵３８のＲＦＩＤタグ４１が引出部２９の収納空間３４内にあるときには、収納空間３４内のいずれの位置にあってもＲＦＩＤタグ４１と通信可能なＲＦＩＤリーダ（取得手段）４５が設けられている。このＲＦＩＤリーダ４５は、中段収納部２２に収納された状態にある鍵３８のＲＦＩＤタグ４１から識別番号を読み取る。
【００２６】
重要物管理装置１０は、各部を制御する図３に示す制御部（特定手段，判断手段）５０と、制御部５０とデータのやり取りが可能なＲＡＭやＨＤＤ等からなる記憶部（取出・返却記憶手段）５１とを有している。
【００２７】
制御部５０は、例えば電源スイッチ１９のオフからオンへの切替時に、ＲＦＩＤリーダ４５によって、中段収納部２２の収納空間３４内にあるすべてのＲＦＩＤタグ４１から識別番号を読み出して記憶部５１に記憶する。一方、記憶部５１には、中段収納部２２の収納空間３４内に収納されるべき鍵３８の識別番号のマスタデータが予め記憶されており、制御部５０は、マスタデータの識別番号を記憶部５１から読み出して、実際に収納空間３４に収納されている鍵３８の識別番号とすべて一致しているか否かを判定する。すべて一致しておらず、鍵３８が不足している場合は、表示部１５に不足している旨と不足している鍵３８の識別番号とを表示してアラームを発生させる。例えば、識別番号「００７」の鍵３８が収納空間３４内に不足している場合は、「００７  不足」といった表示を表示部１５に表示させる。他方、他の収納場所に収納されるべき鍵が収納空間３４内に混入している場合は、表示部１５に収納間違いが発生している旨と収納間違いである鍵の識別番号とを表示させてアラームを発生させる。例えば、個別鍵収納部１２に収納されるべき識別番号「７７７」の鍵１１が収納空間３４内に混入している場合は、例えば、「７７７  収納間違い」といった表示を表示部１５に表示させる。
【００２８】
そして、制御部５０は、その後は、ＲＦＩＤリーダ４５で所定の時間間隔毎に、中段収納部２２の収納空間３４内にあるすべてのＲＦＩＤタグ４１から識別番号を読み出すことになり、収納空間３４内に収納されるべき鍵３８の識別番号と、実際に収納空間３４に収納されている鍵３８の識別番号とがすべて一致するまで待つ。あるいは操作部１４に不一致を無視する旨の入力がなされるまで待つ。
【００２９】
収納空間３４内に収納されるべき鍵３８の識別番号と、実際に収納空間３４に収納されている鍵３８の識別番号とがすべて一致するか、あるいは、操作部１４に不一致を無視する旨の入力がなされると、制御部５０は、アラームを終了し、以下の取出・返却管理処理を行う。
【００３０】
「取出・返却管理処理」
制御部５０は、ＲＦＩＤリーダ４５で所定の時間間隔毎に、中段収納部２２の収納空間３４内にあるすべてのＲＦＩＤタグ４１から識別番号を読み出して記憶部５１に読出時刻と関連づけて記憶させるとともに、前回の読み出し時点で記憶部５１に記憶させた識別番号との一致を見る。そして、前回の読み出し時点でＲＦＩＤリーダ４５によって読み出されていた識別番号が、今回の読み出し時点で読み出されなくなると、この識別番号の鍵３８が中段収納部２２から今回の読出時刻で取り出されたと判断する。逆に、前回の読み出し時点で読み出されなかった識別番号が、今回の読み出し時点で読み出されると、この識別番号の鍵３８が中段収納部２２に今回の読出時刻で返却収納されたと判断する。
【００３１】
つまり、制御部５０は、中段収納部２２から取り出された鍵３８を識別番号のＲＦＩＤリーダ４５による読み取りの有りから無しへの変化によって特定することになり、中段収納部２２に収納された鍵３８を識別番号のＲＦＩＤリーダ４５による読み取りの無しから有りへの変化によって特定する。合わせて、制御部５０は、中段収納部２２に収納された鍵３８を特定すると、この鍵３８の識別番号が、それ以前に中段収納部２２からの取り出されまだ戻されていない鍵３８の識別番号に一致するか否かを判断することで、鍵３８が返却収納されたものであるか否かを判断する。
【００３２】
制御部５０は、今回の読み出し時点で中段収納部２２への収納が特定された鍵の識別番号が、それ以前に中段収納部２２からの取り出されまだ戻されていない鍵３８の識別番号のいずれか一つに一致する場合は、適正に返却収納されたと判断して、この識別番号を表示部１５に所定時間表示させる。具体的に、識別番号が「００７」の鍵３８が返却収納されたことを特定すると、表示部１５に、識別番号「００７」と、適正に返却収納されたことを示す文字、例えば「ＯＫ」とを並べた「００７  ＯＫ」といった表示を表示させる。ここで、制御部５０は、鍵３８の返却収納を特定すると、表示部１５に、この特定された鍵３８の識別番号と、直前の取り出し時刻と、今回の返却時刻とを並べて表示させても良い。
【００３３】
他方、今回の読み出し時点で中段収納部２２への収納が特定された鍵の識別番号が、それ以前に中段収納部２２からの取り出しされまだ戻されていない鍵３８の識別番号のいずれにも一致しない場合は、この鍵が収納空間３４内に収納されるべき鍵３８でないと判断して、制御部５０は、表示部１５に収納間違いが発生した旨と収納間違いである鍵の識別番号とを表示させてアラームを発生させる。例えば、個別鍵収納部１２に収納されるべき識別番号「７７７」の鍵１１が収納空間３４内に混入している場合は、例えば、「７７７  収納間違い」といった表示を表示部１５に表示させる。
【００３４】
そして、制御部５０は、取り出しが特定された識別番号（識別情報）と、この識別番号についての取り出し時刻（識別情報）と、この取り出しの直後にこの識別番号が返却された返却時刻（識別情報）とを関連づけて取出・返却データとして、記憶部５１に記憶させることになり、このような取出・返却データを、すべての鍵３８の取り出しに関して記憶部５１に記憶させることになる。
【００３５】
つまり、記憶部５１は、ＲＦＩＤリーダ４５による読み取りに基づいて制御部５０によって、中段収納部２２からの取り出しが特定された識別番号およびその取り出し時刻と、ＲＦＩＤリーダ４５によって読み取られたこの識別番号に関する返却時刻とを取出・返却データとして記憶する。この取出・返却データにおいて返却時刻のデータの有無によって、返却時刻のデータが有れば、中段収納部２２からの取り出しが特定された鍵３８の識別番号と中段収納部２２からの取り出し後にＲＦＩＤリーダ４５によって読み取られた鍵３８の識別番号とが一致していることになり、返却時刻のデータがなければ、中段収納部２２からの取り出しが特定された鍵３８の識別番号と中段収納部２２からの取り出し後にＲＦＩＤリーダ４５によって読み取られた鍵３８の識別番号とが一致していないことになる。つまり、この取出・返却データは、言い換えれば、制御部５０によって中段収納部２２からの取り出しが特定された鍵３８の識別番号と、中段収納部２２からの取り出し後にＲＦＩＤリーダ４５によって読み取られた鍵３８の識別番号とが一致するか否かの判断結果をも示している。
【００３６】
そして、制御部５０は、ログ情報（履歴情報）を出力するための出力操作を操作部１４が受け付けると、記憶部５１に記憶された、所定期間の取出・返却データ、つまり識別番号とこの識別番号の取り出し時刻とこの取り出し時刻直後のこの識別番号の返却時刻とを、取り出し時刻を基準とした時系列で並べたログ出力データ（ログ情報）を作成する。そして、制御部５０は、操作部１４への操作入力にしたがって、このログ出力データをプリンタ部１８によって用紙に出力させる。あるいは、表示部１５に表示させたり、外部のプリンタによって用紙に出力させたり、外部のパーソナルコンピュータからなる管理装置に出力したりしても良い。ログ出力データは、例えば、図４に示すように、「２００７／３／３」の日付の日に、「００７」の識別番号の鍵３８が「１０：１０」の持ち出し時刻で持ち出され「１０：２０」の返却時刻で返却されたこと、「００８」の識別番号の鍵３８が「１０：１５」の持ち出し時刻で持ち出され「１０：２５」の返却時刻で返却されこと、「００３」の識別番号の鍵３８が「１０：２５」の持ち出し時刻で持ち出され「１０：３５」の返却時刻で返却されたこと、「００８」の識別番号の鍵３８が「１０：３０」の持ち出し時刻で持ち出され返却時刻が「−−：−−」で返却されていないことを表示する。
【００３７】
以上に述べた第１実施形態によれば、鍵３８が返却口３３に返却投入された後、シュート３５を介して中段収納部２２に収納されると、中段収納部２２に収納されたこの鍵３８のＲＦＩＤタグ４１からＲＦＩＤリーダ４５が識別番号を読み取ることになり、表示部１５が、このＲＦＩＤリーダ４５で読み取られた識別番号を出力する。他方、シュート３５の途中で鍵３８が引っ掛かる等すると、この鍵３８のＲＦＩＤタグ４１からＲＦＩＤリーダ４５が識別番号を読み取ることができず、表示部１５が、識別番号を出力することはない。よって、鍵３８の返却口３３への返却投入後に、表示部１５が識別番号を出力するか否かで、返却口３３に返却投入された鍵３８が中段収納部２２に収納されたか否かを確認することができる。
【００３８】
また、制御部５０が、中段収納部２２から取り出された鍵３８をＲＦＩＤタグ４１に記憶された識別番号のＲＦＩＤリーダ４５による読み取りの有無によって特定することになり、その後、制御部５０が、中段収納部２２からの取り出しが特定された鍵３８の識別番号と、その後、ＲＦＩＤリーダ４５によって読み取られた鍵３８の識別番号とが一致するか否かを判断し、プリンタ部１８が、この判断結果を含む取出・返却データのログ出力データを出力することになる。したがって、鍵３８の取り出しから返却収納までを管理することができる。
【００３９】
さらに、記憶部５１が、制御部５０によって中段収納部２２からの取り出しが特定された識別番号と、その後、中段収納部２２内のＲＦＩＤリーダ４５によって読み取られた識別番号とを記憶し、制御部５０が、この記憶部５１に記憶された識別番号を用いて、中段収納部２２に収納された鍵３８の取出・返却のログ出力データを作成して、プリンタ部１８が、このログ出力データを用紙に出力することになる。したがって、鍵３８の取り出しから返却収納までのログ情報を管理することができる。
【００４０】
加えて、操作部１４が出力操作を受け付けると、プリンタ部１８が、制御部５０によって作成されたログ出力データを出力することになるため、任意のタイミングでログ情報を出力することができる。
【００４１】
本発明の重要物管理装置に係る第２実施形態を主に図５を参照して以下に第１実施形態との相違部分を中心に説明する。なお、第１実施形態と同様の部分には同一の符号を用いることとしその説明は略す。
【００４２】
第２実施形態においては、中段収納部２２と返却口３３とを結ぶシュート３５内の返却口３３の直後位置にも、ＲＦＩＤリーダ（第１の読取手段）５５が設けられている。このＲＦＩＤリーダ５５は、いずれの位置から返却口３３に鍵３８が投入されても投入された鍵３８のＲＦＩＤタグ４１と通信可能であり、鍵３８のＲＦＩＤタグ４１が引出部２９内の収納空間３４内にあるときには、収納空間３４内のいずれの位置にあってもＲＦＩＤタグ４１と通信不可となっている。また、第１実施形態と同様に、引出部２９内には、鍵３８のＲＦＩＤタグ４１がシュート３５内に存在するときにはＲＦＩＤタグ４１とは通信不可であって、鍵３８のＲＦＩＤタグ４１が中段収納部２２の引出部２９内の収納空間３４内にあるときには、収納空間３４内のいずれの位置にあってもＲＦＩＤタグ４１と通信可能なＲＦＩＤリーダ（第２の読取手段）４５が設けられている。
【００４３】
そして、制御部（返却収納判断手段）５０は、ＲＦＩＤリーダ５５の読み取り結果と、ＲＦＩＤリーダ４５の読み取り結果とに基づいて、返却口３３に投入された鍵３８が中段収納部２２に収納されたか否かを判断するとともに、判断結果を表示部（判断結果出力手段）１５に表示させる。
【００４４】
つまり、制御部５０は、取出・返却管理処理として、第１実施形態と同様、ＲＦＩＤリーダ４５で所定の時間間隔毎に、中段収納部２２の収納空間３４内にあるすべてのＲＦＩＤタグ４１から識別番号を読み出して記憶部５１に記憶させるとともに、前回の読み出し時点で記憶部５１に記憶させた識別暗号との一致を見る。そして、前回の読み出し時点でＲＦＩＤリーダ４５によって読み出されていた識別番号が、今回の読み出し時点で読み出されなくなると、この識別番号の鍵３８が中段収納部２２から取り出されたと判断する。
【００４５】
他方、制御部５０は、ＲＦＩＤリーダ５５で常時ＲＦＩＤタグ４１の検出に待機しており、ＲＦＩＤリーダ５５でＲＦＩＤタグ４１を検出すると、ＲＦＩＤタグ４１から読み出された識別番号を有する鍵３８が返却口３３に投入されたと判断する。そして、制御部５０は、鍵３８が返却口３３に投入されたと判断すると、その後、所定時間経過した後に、ＲＦＩＤリーダ４５で中段収納部２２の収納空間３４内にあるすべてのＲＦＩＤタグ４１から識別番号を読み出して記憶部５１に記憶させるとともに、返却口３３に投入された鍵３８の識別番号と同じ識別番号が含まれているか否かを判断する。
【００４６】
返却口３３に投入された鍵３８の識別番号と同じ識別番号が収納空間３４内のＲＦＩＤタグ４１の識別番号に含まれている場合、制御部５０は、返却口３３に投入された鍵３８が適正に収納空間３４に収納されたと判断する。
【００４７】
そして、制御部５０は、中段収納部２２への収納が特定された鍵３８の識別番号が、それ以前に中段収納部２２からの取り出されまだ戻されていない鍵３８の識別番号のいずれか一つに一致する場合は、適正に返却収納されたと判断して、この識別番号を表示部１５に所定時間表示させる。具体的に、識別番号が「００７」の鍵３８が返却収納されたことを特定すると、表示部１５に、識別番号「００７」と、適正に返却収納されたことを示す文字、例えば「ＯＫ」とを並べた「００７  ＯＫ」といった表示を表示させる。ここで、制御部５０は、鍵３８の返却収納を特定すると、表示部１５に、この特定された鍵３８の識別番号と、直前の取り出し時刻と、今回の返却時刻とを並べて表示させても良い。
【００４８】
他方、中段収納部２２への収納が特定された鍵の識別番号が、それ以前に中段収納部２２からの取り出しされまだ戻されていない鍵３８の識別番号のいずれにも一致しない場合は、この鍵が収納空間３４内に収納されるべき鍵３８でないと判断して、制御部５０は、表示部１５に収納間違いが発生した旨と収納間違いである鍵の識別番号とを表示させてアラームを発生させる。例えば、個別鍵収納部１２に収納されるべき識別番号「７７７」の鍵１１が収納空間３４内に混入している場合は、例えば、「７７７  収納間違い」といった表示を表示部１５に表示させる。
【００４９】
上記した鍵３８の返却口３３への投入を検出した後、落下に要する所定時間が経過してから、収納空間３４内にあるＲＦＩＤタグ４１の識別番号の中に、返却口３３に投入された鍵３８の識別番号と同じ識別番号が含まれていない場合、制御部５０は、返却口３３に投入された鍵３８が適正に収納空間３４に収納されていないと判断する。そして、制御部５０は、表示部１５に、収納時に異常が発生した旨と異常である鍵の識別番号とを表示させてアラームを発生させる。例えば、返却口３３で検出された識別番号「００７」の鍵３８が収納空間３４内で検出されない場合は、例えば、「００７  収納時異常」といった表示を表示部１５に表示させる。
【００５０】
制御部５０は、第１実施形態と同様、取り出しが特定された識別番号（識別情報）と、この識別番号についての取り出し時刻（識別情報）と、この取り出しの直後にこの識別番号が返却された返却時刻（識別情報）とを関連づけて取出・返却データとして、記憶部５１に記憶させることになり、このような取出・返却データを、すべての鍵３８の取り出しに関して記憶部５１に記憶させることになる。
【００５１】
また、制御部５０は、第１実施形態と同様、ログ情報（履歴情報）を出力するための出力操作を操作部１４が受け付けると、記憶部５１に記憶された、所定期間の取出・返却データ、つまり識別番号とこの識別番号の取り出し時刻とこの取り出し時刻直後のこの識別番号の返却時刻とを、取り出し時刻を基準とした時系列で並べたログ出力データ（ログ情報）を作成し、このログ出力データをプリンタ部１８によって用紙に出力させる。
【００５２】
以上に述べた第２実施形態によれば、鍵３８が返却口３３に返却投入されると、まず、ＲＦＩＤリーダ５５が、鍵３８に設けられたＲＦＩＤタグ４１から識別番号を読み取ることになり、鍵３８が中段収納部２２に収納されると、続いて、ＲＦＩＤリーダ４５が、鍵３８に設けられたＲＦＩＤタグ４１から識別番号を読み取ることになる。他方、シュート３５の途中で鍵３８が引っ掛かってしまうと、鍵３８のＲＦＩＤタグ４１からＲＦＩＤリーダ５５が識別番号を読み取るものの、ＲＦＩＤリーダ４５が識別番号を読み取ることができない。このようにして、返却口３３に返却投入された鍵３８が中段収納部２２に収納されたか否かを確認することができる。しかも、ＲＦＩＤリーダ５５が識別番号を読み取ることで鍵３８の返却口３３への投入を検出することができるため、重要物管理装置１０側で、返却口３３に返却投入された鍵３８が中段収納部２２に収納されたか否かの確認を完結できる。したがって、第１実施形態のように担当者による確認がなくても、重要物管理装置１０側で異常を検出できる。
【００５３】
また、表示部１５が制御部５０の判断結果を出力するため、通路途中に引っ掛かった鍵３８があることを返却者等に容易に認識させることができる。
【００５４】
なお、以上の実施形態においては、説明の便宜上、重要物として鍵を管理する場合を例にとり説明したが、鍵以外のＲＦＩＤカード、接触型ＩＣカード、印鑑等にも適用可能であり、これらの混在管理も可能である。その場合、必要により重要物にＲＦＩＤタグ等の無線通信可能な識別情報記憶手段を設けることになる。
【００５５】
また、中段収納部２２の開閉を機械式のシリンダ鍵２８で行う場合を例にとり説明したが、ＩＤカード１６のカードリーダ１７への走査と操作部１４への暗証番号の入力等を条件として制御部５０により開閉駆動される電磁ロックで開閉して良い。
【図面の簡単な説明】
【００５６】
【図１】本発明の第１実施形態に係る重要物管理装置を示す斜視図である。
【図２】本発明の第１実施形態に係る重要物管理装置の要部を示す断面図である。
【図３】本発明の第１実施形態に係る重要物管理装置の要部を示す制御ブロック図である。
【図４】本発明の第１実施形態に係る重要物管理装置におけるログ出力データの例である。
【図５】本発明の第２実施形態に係る重要物管理装置の要部を示す断面図である。
【符号の説明】
【００５７】
１０  重要物管理装置
１４  操作部（出力操作手段）
１５  表示部（出力手段，判断結果出力手段）
１８  プリンタ部（出力手段）
２２  中段収納部（収納部）
３８  鍵（重要物）
４１  ＲＦＩＤタグ（識別情報記憶手段）
４５  ＲＦＩＤリーダ（取得手段，第２の読取手段）
５０  制御部（特定手段，判断手段，返却収納判断手段）
５１  記憶部（取出・返却記憶手段）
５５  ＲＦＩＤリーダ（第１の読取手段）
【図１】
2008231879.tif 000003
【図２】
2008231879.tif 000004
【図３】
2008231879.tif 000005
【図４】
2008231879.tif 000006
【図５】
2008231879.tif 000007